(57)【特許請求の範囲】
【請求項１】
所定の計測用信号を生成して出力する信号発生器と、
処理装置を含んでおり、所定の受信動作を行うことにより、前記信号発生器から出力される前記計測用信号に対して所定の復調処理を行って復調後の信号を出力する通信装置と、
前記通信装置から出力される前記復調後の信号の特性を計測することにより得られる計測結果を前記処理装置に送る計測装置と、
を備え、前記処理装置によって、一連の計測手順を制御するとともに前記計測装置から送られてくる前記計測結果の通知を行うことを特徴とする通信装置の計測方式。
【請求項２】
請求項１において、
前記通信装置は表示装置を含んでおり、
前記処理装置は、前記表示装置に所定の表示を行うことにより、前記計測結果の通知を行うことを特徴とする通信装置の計測方式。
【請求項３】
請求項１または２において、
前記処理装置は、前記通信装置によって行われる前記受信動作に対応する制御動作を行うことを特徴とする通信装置の計測方式。
【請求項４】
請求項１〜３のいずれかにおいて、
前記通信装置は、所定の受信周波数を有する搬送波を受信するとともに、この搬送波に含まれる信号を復調して取り出す受信処理部を含んでおり、
前記処理装置は、前記受信処理部によって前記所定の受信動作を行う際に必要な各種の設定処理を行うことを特徴とする通信装置の計測方式。
【請求項５】
所定の計測用信号を生成して出力する信号発生器と、
処理装置を含んでおり、所定の送信動作を行うことにより、前記信号発生器から出力される前記計測用信号に対して所定の変調処理を行って変調後の信号を出力する通信装置と、
前記通信装置から出力される前記変調後の信号の特性を計測することにより得られる計測結果を前記処理装置に送る計測装置と、
を備え、前記処理装置によって、一連の計測手順を制御するとともに前記計測装置から送られてくる前記計測結果の通知を行うことを特徴とする通信装置の計測方式。
【請求項６】
請求項５において、
前記通信装置は表示装置を含んでおり、
前記処理装置は、前記表示装置に所定の表示を行うことにより、前記計測結果の通知を行うことを特徴とする通信装置の計測方式。
【請求項７】
請求項５または６において、
前記処理装置は、前記通信装置によって行われる前記送信動作に対応する制御動作を行うことを特徴とする通信装置の計測方式。
【請求項８】
請求項５〜７のいずれかにおいて、
前記通信装置は、前記所定の変調処理を行うことにより、所定の周波数を有する搬送波を送信する送信処理部を含んでおり、
前記処理装置は、前記送信処理部によって前記所定の送信動作を行う際に必要な各種の設定処理を行うことを特徴とする通信装置の計測方式。
【発明の詳細な説明】
【０００１】
【発明の属する技術分野】
本発明は、通信装置に関する各種の計測を行う通信装置の計測方式に関する。
【０００２】
【従来の技術および発明が解決しようとする課題】
ラジオ放送においては、放送局からＡＭ変調あるいはＦＭ変調等の変調方式を用いて音声信号を変調した信号が送出される。このため、ラジオ受信機は、受信した信号を変調方式に応じて復調することにより、元の音声信号を出力している。しかし、ラジオ受信機内のチューナを構成するトランジスタやインダクタ等の素子は、同じ素子定数を有する素子であっても特性にばらつきがあるため、同じ素子を用いてチューナを構成しても必ずしもチューナ全体の特性が同じになるわけではない。このため、復調後の音声信号に歪みが生じたり、出力レベルが小さくなってしまう場合があった。
【０００３】
そこで、一般にラジオ受信機の製造工程においては、ラジオ受信機によって復調された音声信号の歪みや出力レベルを計測し、その計測結果に基づいて素子定数の調整が行われる。
【０００４】
図７は、ラジオ受信機の特性を計測する従来の計測システムを示す図である。同図に示す計測システム５００は、ラジオ受信機５０２によって復調された信号の歪みや出力レベルを計測するものであり、信号発生器５０４、低周波アナライザ５０６、パーソナルコンピュータ５０８、ディスプレイ装置５１０を含んで構成されている。
【０００５】
ラジオ受信機５０２によって復調後の信号の歪みや出力レベルをこの計測システム５００を用いて計測する場合には、パーソナルコンピュータ５０８からラジオ受信機５０２および信号発生器５０４に搬送波周波数、変調方式等の計測条件データが送信される。信号発生器５０４は、パーソナルコンピュータ５０８から出力された計測条件データに従って、所定のオーディオ信号を変調した計測用信号を出力する。一方、ラジオ受信機５０２は、パーソナルコンピュータ５０８から出力された計測条件データに従って、信号発生器５０４から出力される計測用信号を復調し、復調によって得られた信号を低周波アナライザ５０６に出力する。低周波アナライザ５０６は、この復調後の信号の歪みや出力レベルを計測して、その計測結果をパーソナルコンピュータ５０８に出力する。パーソナルコンピュータ５０８は、低周波アナライザ５０６から出力される計測結果をディスプレイ装置５１０に表示して計測作業者に通知する。
【０００６】
しかしながら、上述した従来の計測システム５００では、パーソナルコンピュータ５０８やディスプレイ装置５１０を備えなければならず、構成が複雑になってコストが増加するとともに設置場所を確保しなければならなかった。また、個々のラジオ受信機５０２に対してパーソナルコンピュータ５０８を接続して計測しなければならないため、調整や検査を含む製造工程の工数が増加する原因になっていた。
【０００７】
また、携帯電話等の移動体電話においても、復調処理や変調処理が正しく行われているかどうかを計測し、この計測結果に基づいて各種の調整が行われる。図８は、移動体電話の特性を計測する従来の計測システムを示す図である。同図に示すように、計測システム５５０は、移動体電話機５５２によって復調あるいは変調された信号の歪みや出力レベルを計測するものであり、信号発生器５５４、低周波アナライザ５５６、オーディオ周波数信号発生器（ＡＦ発生器）５５８、送信アナライザ５６０、パーソナルコンピュータ５６２、ディスプレイ装置５６４を含んで構成されている。
【０００８】
移動体電話機５５２によって復調後の信号の歪みや出力レベルをこの計測システム５５０を用いて計測する場合には、図７に示した計測システム５００と同様の動作が行われる。
【０００９】
また、移動体電話機５５２によって変調された信号の歪みや出力レベルをこの計測システム５５０を用いて計測する場合には、パーソナルコンピュータ５６２からＡＦ発生器５５８に向けて計測用オーディオ信号を出力する指示が出されるとともに、移動体電話機５５２に向けて搬送波周波数、変調方式等の計測条件データが送信される。移動体電話機５５２は、ＡＦ発生器５５８から出力される計測用オーディオ信号を変調して、変調後の信号を送信アナライザ５６０に出力する。送信アナライザ５６０は、この変調後の信号の歪みや出力レベルを計測して、その計測結果をパーソナルコンピュータ５６２に出力する。パーソナルコンピュータ５６２は、送信アナライザ５６０から出力される計測結果をディスプレイ装置５６４に表示して計測作業者に通知する。
【００１０】
しかしながら、図７に示した計測システム５００と同様に、パーソナルコンピュータ５６２やディスプレイ装置５６４を備える必要があるため、コストの増加と設置場所の確保の困難性という問題があり、また、製造工程の工数が増加する原因になっていた。
【００１１】
本発明は、このような点に鑑みて創作されたものであり、その目的は、コストの低減や計測スペースの削減が可能な通信装置の計測方式を提供することにある。
【００１２】
【課題を解決するための手段】
上述した課題を解決するために、本発明の通信装置の計測方式は、処理装置を備える通信装置によって、信号発生器が生成および出力する所定の計測用信号に対する復調処理が行われて復調後の信号が出力され、計測装置によって、この復調後の信号の特性が計測されて計測結果が処理装置に送られるものであり、通信装置に含まれる処理装置によって、一連の計測手順の制御や計測結果の通知が行われる。このように、通信装置に含まれる処理装置が計測動作の制御を行うため、従来のように、計測動作の制御のために他の処理装置（例えばパーソナルコンピュータ）を備える必要がない。このため、計測システム全体の構成を簡略化してコストを低減することができる。また、他の処理装置の設置場所を確保する必要がないため、計測スペースを削減することができる。また、製造工程において通信装置に他の処理装置を接続するという作業が発生しないため、製造工程の工数を削減することも可能となる。
【００１３】
特に、通信装置に表示装置を備え、処理装置によって、この表示装置に所定の表示を行って計測結果を通知することにより、別にディスプレイ装置等を接続しなくても、計測作業者は容易に計測結果を確認することが可能となる。
【００１４】
また、上述した処理装置は、通信装置によって行われる受信動作に対応する制御動作を行うものであることが好ましい。この場合には、通信装置にもともと備わっている処理装置を計測動作の制御のために用いることができるため、計測動作の制御のために新たに処理装置を備える必要がなく、さらなるコスト低減が可能となる。
【００１５】
また、上述した処理装置は、所定の受信周波数を有する搬送波を受信するとともにこの搬送波に含まれる信号を復調して取り出す受信処理部を含み、処理装置によって受信処理部に関する各種の設定を行うことが好ましい。処理装置によって通信装置の受信周波数や変調方式等の設定を行うことにより、各種の計測信号を適切に受信して所定の復調処理を行うとともにこの復調後の信号の特性を計測装置によって計測する一連の計測制御の実施が可能になる。
【００１６】
また、本発明の通信装置の計測方式は、処理装置を備える通信装置によって、信号発生器が生成および出力する所定の計測用信号に対する変調処理が行われて変調後の信号が出力され、計測装置によって、この変調後の信号の特性が計測されて計測結果が処理装置に送られるものであり、通信装置に含まれる処理装置によって、一連の計測手順の制御や計測結果の通知が行われる。所定の受信動作を行う上述した通信装置の計測方式と同様に、通信装置に含まれる処理装置が計測動作の制御を行うため、従来のように、計測動作の制御のために他の処理装置を備える必要がない。このため、計測システム全体の構成を簡略化してコストを低減することができる。また、他の処理装置の設置場所を確保する必要がないため、計測スペースを削減することができる。また、製造工程において通信装置に他の処理装置を接続する作業が必要なくなるため、製造工程の工数を削減することも可能となる。
【００１７】
特に、通信装置に表示装置を備え、処理装置によって、この表示装置に所定の表示を行って計測結果を通知することにより、別にディスプレイ装置等を接続しなくても、計測作業者は容易に計測結果を確認することが可能となる。
【００１８】
また、上述した処理装置は、通信装置によって行われる送信動作に対応する制御動作を行うものであることが好ましい。この場合には、通信装置にもともと備わっている処理装置を計測動作の制御のために用いることができるため、計測動作の制御のために新たに処理装置を備える必要がなく、さらなるコスト低減が可能となる。
【００１９】
また、上述した通信装置は、変調処理を行うことにより所定の周波数を有する搬送波を送信する送信処理部を含み、処理装置によって送信処理部に関する各種の設定を行うことが好ましい。入力される各種の測定用信号に対して所定の変調処理を行うとともにこの変調後の信号の特性を計測装置によって計測する一連の計測制御の実施が可能になる。
【００２０】
【発明の実施の形態】
本発明を適用した一実施形態の通信装置の計測システムは、通信装置によって復調処理あるいは変調処理された信号の特性を計測する際の制御を、通信装置に備わった処理装置によって行うことを特徴とする。以下、一実施形態の計測システムについて図面を参照しながら説明する。
【００２１】
（第１の実施形態）
図１は、第１の実施形態の計測システムの全体構成を示す図である。同図に示す計測システム１００は、ラジオ受信機２によって復調された信号の特性を計測するためのものであり、所定のオーディオ信号を変調した計測用信号を出力する信号発生器４と、ラジオ受信機２によって復調された信号の特性を計測する計測装置としての低周波アナライザ６を含んで構成されている。
【００２２】
ラジオ受信機２は、自己の送信機能に関する計測を実施するために必要な計測条件データを信号発生器４に送り、この計測条件データの内容に従って所定の計測用信号を生成して出力するように信号発生器４に対して指示を出す。この計測条件データには、例えば、搬送波周波数、変調方式（ＡＭ変調、ＦＭ変調等）、変調度等の情報が含まれる。その後、ラジオ受信機２は、信号発生器４から出力される計測用信号を受信し、この受信した計測用信号に対して所定の復調処理を行い、復調後の信号を低周波アナライザ６に出力する。
【００２３】
また、ラジオ受信機２は、低周波アナライザ６から上述した復調後の信号に対する計測結果が入力されると、内蔵する液晶表示装置（ＬＣＤ）にこの計測結果を表示するとともに、内蔵する受信処理部の特性を調整する。ラジオ受信機２の構成については後述する。
【００２４】
信号発生器４は、ラジオ受信機２から入力される計測条件データに含まれる搬送波周波数や変調方式等に従って、所定のオーディオ信号を変調することにより計測用信号を生成し、この計測用信号をラジオ受信機２に出力する。
【００２５】
低周波アナライザ６は、ラジオ受信機２から復調後の信号である可聴帯域の低周波信号が入力されると、この復調後の信号の出力レベルや波形歪み等の特性を計測して、計測結果をラジオ受信機２に向けて出力する。
【００２６】
図２は、ラジオ受信機２の構成を示す図である。同図に示すように、ラジオ受信機２は、受信処理部１１、ＬＣＤ１２、ＣＰＵ１３、プログラム格納部１４、データ格納部１５を含んで構成されている。
【００２７】
受信処理部１１は、例えばスーパーヘテロダイン方式の回路構成を有しており、信号発生器４から出力される計測用信号に対して、高周波増幅処理、周波数変換処理、中間周波増幅処理、検波処理等を行って復調後の信号を出力する。この受信処理部１１は、例えば特性調整用の可変容量コンデンサを含んで構成されている。この可変容量コンデンサの容量を変更することによって、例えば高周波増幅処理における増幅度等が変更されて、受信処理部１１の特性が調整される。
【００２８】
ＬＣＤ１２は、通常の受信動作時には受信中の放送の周波数や現在時刻等を表示するが、復調後の信号の特性を計測する場合には、低周波アナライザ６から出力される計測結果を表示して、計測作業者にその内容を通知する。
【００２９】
ＣＰＵ１３は、ラジオ受信機２全体の制御を行っている。例えば、ＣＰＵ１３は、利用者の選局指示に応じて、受信処理部１１の受信周波数や復調方式を設定して選局された放送を受信することができるように制御を行ったり、利用者の音量調整の指示に応じて、スピーカ（図示せず）の音量調整を行う。
【００３０】
また、ＣＰＵ１３は、復調後の信号の特性を計測する場合には、信号発生器４に対して計測条件データを出力して、この計測条件データの内容に従って計測用信号を出力するように指示を出す。また、ＣＰＵ１３は、受信処理部１１が計測用信号の受信処理を行うことができるように、計測条件データに含まれる搬送波周波数や変調方式に応じて、受信処理部１１の受信周波数や復調方式を設定する。さらに、ＣＰＵ１３は、低周波アナライザ６から復調後の信号の計測結果が入力されると、この計測結果をＬＣＤ１２に表示したり、この計測結果に基づいて受信処理部１１の特性を調整する。プログラム格納部１４は、ＣＰＵ１３によって各種の処理を行うためのプログラムを格納している。データ格納部１４は、計測条件データ等を格納している。上述したラジオ受信機２が計測対象としての通信装置に、低周波アナライザ６が計測装置に、ＬＣＤ１２が表示装置に、ＣＰＵ１３が処理装置にそれぞれ対応する。
【００３１】
本実施形態の計測システム１００はこのような構成を有しており、次にその動作について説明する。図３は、図１に示した計測システム１００における計測手順を示す流れ図である。
【００３２】
ＣＰＵ１３は、受信処理部１１が計測用信号の受信処理を行うことができるように、計測条件データに含まれる搬送波周波数や変調方式に応じて、受信制御部１１の受信周波数や復調方式を設定する（ステップ１００）。
【００３３】
次に、ＣＰＵ１３は、信号発生器４に対して計測条件データを送出して、この計測条件データの内容に従って計測用信号を出力するように指示を出す（ステップ１０１）。信号発生器４は、この指示に従って、所定のオーディオ信号を変調した計測用信号を受信処理部１１に出力する（ステップ１０２）。
【００３４】
次に、受信処理部１１は、信号発生器４から出力される計測用信号に対して復調処理を含む所定の受信処理を行い、復調後の信号を低周波アナライザ６に出力する（ステップ１０３）。低周波アナライザ６は、受信処理部１１から出力された復調後の信号の出力レベル、波形ひずみ等の特性を計測し、ＣＰＵ１３に対して計測結果を出力する（ステップ１０４）。
【００３５】
ＣＰＵ１３は、低周波アナライザ６から計測結果が送られてくると、この計測結果をＬＣＤ１２に表示する（ステップ１０５）。次に、ＣＰＵ１３は、この計測結果に基づいて、受信処理部１１の特性を調整する（ステップ１０６）。具体的には、ＣＰＵ１３は、計測結果に基づいて、復調後の信号の出力レベルが所定の範囲内にあるか否か、出力波形に歪みが生じているか否か等を判定する。復調後の信号の出力レベルが所定の範囲から外れている場合や出力波形に歪みが生じている場合には、ＣＰＵ１３は、受信処理部１１に含まれる特性調整用の可変容量コンデンサの容量を変更して、受信処理部１１の特性を調整する。
【００３６】
このように、本実施形態の計測システム１００においては、ラジオ受信機２に備わったＣＰＵ１３によって、信号発生器４に対する計測用信号の出力指示や、低周波アナライザ２０６から出力される計測結果の表示処理等が行われ、ＬＣＤ１２に計測結果が表示される。したがって、図７に示した従来の計測システム５００のように、パーソナルコンピュータ５０８やディスプレイ装置５１０を接続して計測を行う必要がなく、コストの低減と計測のためのスペースの削減を図ることができる。また、パーソナルコンピュータ５０８やディスプレイ装置５１０を接続するという工程も必要ないため、製造工程の工数を削減することも可能となる。また、ＣＰＵ１３によって、低周波アナライザ６から出力される計測結果に基づいて受信処理部１１の特性を調整する処理が行われるため、人手を介することなく、受信処理部１１の特性を調整することが可能となる。
【００３７】
（第２の実施形態）
次に、本発明を適用した第２の実施形態の計測システムについて説明する。図４は、第２の実施形態の計測システムの全体構成を示す図である。同図に示す移動体電話機２０２は、基地局から送信された所定周波数（例えば８００ＭＨｚ帯や１．５ＧＨｚ）の搬送波を受信して復調処理を行うことにより、通話相手の音声を出力したり、内蔵するマイクロホン（図示せず）によって集音した通話者の音声信号を変調して所定周波数の搬送波を基地局に向けて送信する。計測システム２００は、この移動体電話機２０２によって復調された信号（音声信号）や変調された信号（搬送波信号）の特性を計測するためのものであり、所定のオーディオ信号を変調して移動体電話機２０２の受信動作に対応した計測用信号を出力する信号発生器２０４と、移動体電話機２０２によって復調された信号の特性を計測する計測装置としての低周波アナライザ２０６と、移動体電話機２０２の送信動作に対応した計測用信号として所定のオーディオ信号を出力するオーディオ周波数信号発生器（ＡＦ発生器）２０８と、移動体電話機２０２によって変調された信号の特性を計測する計測装置としての送信アナライザ２１０とを含んで構成されている。
【００３８】
移動体電話機２０２は、上述した通常の通話動作とは別に、復調後の信号や変調後の信号の計測動作時には以下の動作を行う。具体的には、移動体電話機２０２は、自己の受信機能に関する計測を実施するために必要な計測条件データを信号発生器２０４に送り、この計測条件データの内容に従って所定の計測用信号を生成して出力するように信号発生器２０４に対して指示を出す。この計測条件データには、例えば、基地局から送信されて移動体電話機２０２において受信する電波の搬送波周波数や変調方式等の情報が含まれる。その後、移動体電話機２０２は、信号発生器２０４から出力される計測用信号を受信し、この受信した計測用信号に対して所定の復調処理を行い、復調後の信号を低周波アナライザ２０６に出力する。
【００３９】
また、移動体電話機２０２は、自己の送信機能に関する計測を実施するために必要な計測条件データをＡＦ発生器２０８に送り、この計測条件データの内容に従って所定の計測用信号を生成して出力するようにＡＦ発生器２０８に対して指示を出す。この計測条件データには、例えば、ＡＦ発生器２０８から移動体電話機２０２に入力される測定用信号としてのオーディオ信号の周波数や振幅レベル等の情報が含まれる。その後、移動体電話機２０２は、ＡＦ発生器２０８から入力されるオーディオ信号に対して所定の変調処理を行い、変調後の信号を送信アナライザ２１０に出力する。
【００４０】
また、移動体電話機２０２は、低周波アナライザ２０６や送信アナライザ２１０から計測結果が入力されると、内蔵する液晶表示装置（ＬＣＤ）にこれらの計測結果を表示するとともに、内蔵する受信処理部や送信処理部の特性を調整する。移動体電話機２０２の構成については後述する。
【００４１】
信号発生器２０４は、移動体電話機２０２から入力される受信機能に関する計測条件データに従って、所定のオーディオ信号を変調することにより計測用信号を生成し、この計測用信号を移動体電話機２０２に出力する。低周波アナライザ２０６は、移動体電話機２０２から復調後の信号である可聴帯域の低周波信号が入力されると、この復調後の信号の出力レベルや波形歪み等の特性を計測して、計測結果を移動体電話機２０２に向けて出力する。
【００４２】
ＡＦ発生器２０８は、移動体電話機２０２から入力される送信機能に関する計測条件データに従って計測用信号としてのオーディオ信号を生成して移動体電話機２０２に出力する。送信アナライザ２１０は、移動体電話機２０２から変調後の信号である所定周波数の搬送波信号が入力されると、この変調後の信号の出力レベルや波形歪み等の特性を計測して、計測結果を移動体電話機２０２に向けて出力する。
【００４３】
図５は、移動体電話機２０２の構成を示す図である。同図に示すように、移動体電話機２０２は、受信処理部２１１、送信処理部２１２、ＬＣＤ２１３、ＣＰＵ２１４、プログラム格納部２１５、データ格納部２１６を含んで構成されている。
【００４４】
受信処理部２１１は、例えばスーパーへテロダイン方式の回路構成を有しており、信号発生器２０４から出力される高周波の計測用信号に対して、高周波増幅処理、周波数変換処理、中間周波増幅処理、検波処理等を行って復調後の信号を出力する。送信処理部２１２は、ＡＦ発生器２０８から出力される低周波のオーディオ信号に対して、ＦＭ変調等の所定の変調処理行って変調後の信号を出力する。これらの受信処理部２１１や送信処理部２１２は、例えば特性調整用の可変容量コンデンサを含んで構成されている。この可変容量コンデンサの容量を変更することによって、受信処理部２１１や送信処理部２１２の特性が調整される。
【００４５】
ＬＣＤ２１３は、通常は通話相手の電話番号等を表示するが、復調後の信号や変調後の信号の特性を計測する場合には、低周波アナライザ２０６や送信アナライザ２１０から出力される計測結果を表示して、計測作業者にその内容を通知する。
【００４６】
ＣＰＵ２１４は、移動体電話機２０２全体の制御を行っている。例えば、ＣＰＵ２１４は、通話時における受信処理部２１１および送信処理部２１２の制御や電話番号の登録処理等を行う。
【００４７】
また、ＣＰＵ２１４は、自己の受信機能に関する計測を実施する場合には、信号発生器２０４に対して必要な測条件データを出力するとともに、信号発生器２０４から出力される計測用信号に対して受信処理部２１１によって所定の受信処理が行われるように受信処理部２１１の受信周波数や復調方式等を設定する。さらに、ＣＰＵ２１４は、低周波アナライザ２０６から復調後の信号の計測結果が入力されると、この計測結果をＬＣＤ２１３に表示したり、この計測結果に基づいて受信処理部２１１の特性を調整する。
【００４８】
また、ＣＰＵ２１４は、自己の送信機能に関する計測を実施する場合には、ＡＦ発生器２０８に対して必要な計測条件データを出力するとともに、ＡＦ発生器２０８から出力される計測用信号に対して送信処理部２１２によって所定の送信処理が行われるように送信処理部２１２の送信周波数等を設定する。さらに、ＣＰＵ２１４は、送信アナライザ２１０から変調後の信号の計測結果が入力されると、この計測結果をＬＣＤ２１３に表示したり、この計測結果に基づいて送信処理部２１２の特性を調整する。
【００４９】
プログラム格納部２１５は、ＣＰＵ２１４によって各種の処理を行うためのプログラムを格納している。データ格納部２１６は、各種の計測条件データ等を格納している。上述した移動体電話機２０２が計測対象としての通信装置に、ＡＦ発生器２０８が信号発生器に、送信アナライザ２１０が計測装置に、ＬＣＤ２１３が表示装置に、ＣＰＵ２１４が処理装置にそれぞれ対応する。
【００５０】
本実施形態の通信装置の計測システム２００はこのような構成を有しており、次にその動作について説明する。図６は、図４に示した計測システム２００における計測手順を示す流れ図である。
【００５１】
ステップ２００〜２０６の動作は、上述した第１の実施形態において図３に示したステップ１００〜１０６の動作と同様である。すなわち、ＣＰＵ２１４は、信号発生器２０４から入力される計測用信号の受信処理を行うために、受信制御部２１１の受信周波数や復調方式を設定する（ステップ２００）。
【００５２】
次に、ＣＰＵ２１４は、信号発生器２０４に対して計測条件データを送出して、この計測条件データの内容に従って計測用信号を出力するように指示を出す（ステップ２０１）。信号発生器２０４は、この指示に従って、所定のオーディオ信号を変調した計測用信号を受信処理部２１１に出力する（ステップ２０２）。
【００５３】
次に、受信処理部２１１は、信号発生器２０４から出力される計測用信号に対して復調処理を含む所定の受信処理を行い、復調後の信号を低周波アナライザ２０６に出力する（ステップ２０３）。低周波アナライザ２０６は、受信処理部２１１から出力された復調後の信号の特性を計測し、ＣＰＵ２１４に対して計測結果を出力する（ステップ２０４）。ＣＰＵ２１４は、低周波アナライザ２０６から計測結果が送られてくると、この計測結果をＬＣＤ２１３に表示し（ステップ２０５）、この計測結果に基づいて受信処理部２１１の特性を調整する（ステップ２０６）。
【００５４】
次に、ＣＰＵ２１４は、ＡＦ発生器２０８から入力されるオーディオ信号に対して送信処理を行うために送信処理部２１２の送信周波数を設定し（ステップ２０７）、その後、ＡＦ発生器２０８に対して計測条件データを送出して、この計測条件データの内容に従って計測用信号（オーディオ信号）を出力するように指示を出す（ステップ２０８）。ＡＦ発生器２０８は、この指示に従って所定のオーディオ信号を送信処理部２１２に出力する（ステップ２０９）。送信処理部２１２は、ＡＦ発生器２０８から出力されるオーディオ信号に対して変調処理を含む所定の送信処理を行い、変調後の信号を送信アナライザ２１０に出力する（ステップ２１０）。
【００５５】
送信アナライザ２１０は、送信処理部２１２から出力された変調後の信号の特性を計測し、ＣＰＵ２１４に対して計測結果を出力する（ステップ２１１）。ＣＰＵ２１４は、送信アナライザ２１０から計測結果が送られてくると、この計測結果をＬＣＤ２１３に表示し（ステップ２１２）、この計測結果に基づいて送信処理部２１２の特性を調整する（ステップ２１３）。
【００５６】
このように、本実施形態の計測システム２００においては、移動体電話機２０２に備わったＣＰＵ２１４によって、信号発生器２０４やＡＦ発生器２０８に対する計測用信号の出力指示や、低周波アナライザ２０６あるいは送信アナライザ２１０から出力される計測結果の表示処理等が行われ、ＬＣＤ２１３に計測結果が表示される。したがって、図８に示した従来の通信装置の計測システム５５０のように、パーソナルコンピュータ５６２やディスプレイ装置５６４を接続して計測を行う必要がなく、コストの低減と計測のためのスペースの削減を図ることができる。また、パーソナルコンピュータ５６２やディスプレイ装置５６４を接続するという工程も必要ないため、製造工程の工数を削減することも可能となる。また、ＣＰＵ２１４によって、低周波アナライザ２０６から出力される計測結果に基づいて受信処理部２１１の特性を調整する処理が行われるとともに、送信アナライザ２１０から出力される計測結果に基づいて送信処理部２１２の特性を調整する処理が行われるため、人手を介することなく、受信処理部２１１や送信処理部２１２の特性を調整することが可能となる。
【００５７】
なお、本発明は上記実施形態に限定されるものではなく、本発明の要旨の範囲内で種々の変形実施が可能である。例えば、上述した実施形態では、プログラム格納部１４、２１５やデータ格納部１５、２１６に用いられる記憶装置について限定していないが、ＥＥＰＲＯＭ（Electrically Erasable and Programmable  ＲＯＭ）を用いた場合には、プログラムや計測条件データ等の書き換えが可能となる。このため、ＣＰＵ１３、２１４によって行われる処理の追加や変更を容易に行うことができる。
【００５８】
また、上述した第１の実施形態では、通信装置としてラジオ受信機２を用いたが、他の受信機（例えばテレビ受像機）を用いるようにしてもよい。また、上述した第２の実施形態では、通信装置として移動体電話機２０２を用いたが、他の送受信機（例えばトランシーバ）を用いてもよい。また、上述した第１の実施形態では受信機能のみを有する通信装置について、上述した第２の実施形態では受信機能と送信機能を併せ持った通信装置についてそれぞれ説明したが、送信機能のみを有する通信装置について本発明を適用するようにしてもよい。
【００５９】
また、上述した実施形態では、計測結果をＬＣＤ１２、２１３に表示することにより計測作業者に通知したが、スピーカやイヤホン等から音声出力を行うことにより計測結果の通知を行うようにしてもよい。
【００６０】
【発明の効果】
上述したように、本発明によれば、通信装置に含まれる処理装置によって、復調後の信号あるいは変調後の信号についての計測手順の制御や計測結果の通知が行われるため、従来のように、計測制御のために他の処理装置を接続する必要がなく、全体構成を簡略化してコストを低減することができる。また、他の処理装置の設置場所を確保する必要がないため、計測スペースを削減することができる。さらに、製造工程において通信装置に他の処理装置等を接続する作業が必要なくなるため、製造工程の工数を削減することも可能となる。
【図面の簡単な説明】
【図１】  第１の実施形態の計測システムの全体構成を示す図である。
【図２】ラジオ受信機の構成を示す図である。
【図３】図１に示した計測システムにおける計測手順を示す流れ図である。
【図４】第２の実施形態の計測システムの全体構成を示す図である。
【図５】移動体電話機の構成を示す図である。
【図６】図４に示した計測システムにおける計測手順を示す流れ図である。
【図７】ラジオ受信機によって復調された信号の特性を計測する従来の計測システムを示す図である。
【図８】移動体電話機によって復調あるいは変調された信号の特性を測定する従来の計測システムを示す図である。
【符号の説明】
２  ラジオ受信機
４  信号発生器
６  低周波アナライザ
１１  受信処理部
１２  液晶表示装置（ＬＣＤ）
１３  ＣＰＵ
１４  プログラム格納部
１５  データ格納部
１００  計測システム
【図１】
0004106136.tif 000002
【図２】
0004106136.tif 000003
【図３】
0004106136.tif 000004
【図４】
0004106136.tif 000005
【図５】
0004106136.tif 000006
【図６】
0004106136.tif 000007
【図７】
0004106136.tif 000008
【図８】
0004106136.tif 000009